(57)【要約】【課題】手指乾燥装置における温風を吹き出す部分の床面からのレベルを、必要に応じて、可変できるようにする。【解決手段】手指に対して温風を吹き付けさせる温風送風手段１１を備えた乾燥装置本体１と、背面に壁面Ｈに対する取付部２０ａを備えたリフターベース２０と、このリフターベース２０の前面側においてこのリフターベース２０に昇降可能に支持される乾燥装置本体１の支持体２１とを有するリフター装置２とを備えている。【選択図】　　　　図１
2004141557.tif 000002
【特許請求の範囲】
【請求項１】
手指に対して温風を吹き付けさせる温風送風手段を備えた乾燥装置本体と、
背面に壁面に対する取付部を備えたリフターベースと、このリフターベースの前面側においてこのリフターベースに昇降可能に支持される乾燥装置本体の支持体とを有するリフター装置とを備えて構成されていることを特徴とする手指乾燥器。
【請求項２】
リフター装置の支持体の前面及び乾燥装置本体の背面のいずれか一方に、頭部を備えた吊り下げ用軸が突設されていると共に、
これらの他方に、溝一端を開放させて上下方向に延びる割溝を備えた吊り下げ用軸受け具が形成されており、
この吊り下げ用軸受け具の割溝の溝幅が、吊り下げ用軸の軸部の径とほぼ同じかやや大きく、かつ、吊り下げ用軸の頭部の径よりも小さくなるようにしてあることを特徴とする請求項１記載の手指乾燥器。
【請求項３】
リフター装置の支持体が、リフターベース内において上下方向に回転軸線を沿わせるように配された送りネジに噛み合うナット体に組み付けられて送りネジの回転によって昇降される昇降体を介してリフターベースに支持されていることを特徴とする請求項１又は請求項２記載の手指乾燥器。
【発明の詳細な説明】
【０００１】
【発明の属する技術分野】
この発明は、手指の洗浄後、この洗浄した手指の乾燥をなす手指乾燥器の改良に関する。
【０００２】
【従来の技術】
手洗い後に、洗った手を乾燥させ、あるいは、この乾燥に加えて殺菌もなすようにした装置として、例えば、特許文献１に示される手乾燥装置がある。
【０００３】
かかる手乾燥装置は、その下部に手指が位置されたことを契機として位置された手指に温風を吹き付けさせるようにしたものである。
【０００４】
【特許文献１】
特開２００１−１６９９６２号公報
【０００５】
【発明が解決しようとする課題】
しかるに、特許文献１に示されるようなこの種の装置は、従来、洗面所や手洗い所などにある壁面に対して固定据え付けられて用いられるものとなっていた。そして、この据え付け位置は、通例、大人の健常者を想定してなされる。このため、車椅子を使用する身体障害者や子供などは、この種の装置を正しく利用できないか、あるいは、利用することが困難な場合も少なくなかった。だからといって、この据え付け位置を、低く設定してしまうと、通常はもっとも使用頻度の高いと考えられる大人の健常者は屈むなどしないとこのの装置を利用できなくなり不都合となる。
【０００６】
そこでこの発明は、この種の手指乾燥装置における温風を吹き出す部分の床面からのレベルを、必要に応じて、可変できるようにして、大人の健常者も車椅子使用者なども、支障なく手洗い後の手指の乾燥をなすことができるようにすることを主たる目的とする。
【０００７】
【課題を解決するための手段】
前記目的を達成するために、請求項１記載の発明にあっては、手指乾燥器が、手指に対して温風を吹き付けさせる温風送風手段を備えた乾燥装置本体と、
背面に壁面に対する取付部を備えたリフターベースと、このリフターベースの前面側においてこのリフターベースに昇降可能に支持される乾燥装置本体の支持体とを有するリフター装置とを備えて構成されているものとした。
【０００８】
かかる構成によれば、必要に応じて乾燥装置本体の床面からのレベルを調整することができる。すなわち、この乾燥装置本体を支持する支持体を昇降させることにより、リフターベースに対する支持体の支持位置を変えることができ、これにより、乾燥装置本体の床面からのレベルを調整することができる。この結果、大人の健常者は乾燥装置本体を高い位置に位置づけた状態で乾燥装置本体から吹き出される温風に都合良く手指を当てることができ、一方、子供や車椅子を使用している身体障害者などは乾燥装置本体を低い位置に位置づけた状態で乾燥装置本体から吹き出される温風に都合良く手指を当てることができる。
【０００９】
また、請求項２記載の発明にあっては、請求項１記載の手指乾燥器におけるリフター装置の支持体の前面及び乾燥装置本体の背面のいずれか一方に、頭部を備えた吊り下げ用軸が突設されていると共に、
これらの他方に、溝一端を開放させて上下方向に延びる割溝を備えた吊り下げ用軸受け具が形成されており、
この吊り下げ用軸受け具の割溝の溝幅が、吊り下げ用軸の軸部の径とほぼ同じかやや大きく、かつ、吊り下げ用軸の頭部の径よりも小さくなるようにしてあることを特徴としている。
【００１０】
かかる構成によれば、前記吊り下げ用軸受け具の割溝に対し、この割溝の開放された溝一端から吊り下げ用軸を入れ込ませるように、支持体の前方に乾燥装置本体をセットすることにより、支持体にワンタッチで乾燥装置本体を組み付けさせることができる。この支持状態は、前記割溝から吊り下げ用軸を抜き出させるように、乾燥装置本体を移動させることにより、簡単に解除することができる。
【００１１】
また、請求項３記載の発明にあっては、請求項１又は請求項２記載の手指乾燥器におけるリフター装置の支持体が、リフターベース内において上下方向に回転軸線を沿わせるように配された送りネジに噛み合うナット体に組み付けられて送りネジの回転によって昇降される昇降体を介してリフターベースに支持されていることを特徴としている。
【００１２】
かかる構成によれば、前記送りネジの回転によって昇降体をスムースに昇降させることができ、このように移動される昇降体を介してリフターベースに支持されている支持体により、この支持体に支持されている乾燥装置本体を昇降させることができる。
【００１３】
【発明の実施の形態】
以下、図１ないし図５に基づいて、この発明の典型的な実施の形態について説明する。
【００１４】
なお、ここで図１および図２は、実施の形態にかかる手指乾燥器の構成の概要を縦断面の状態で示したものであり、図１は、乾燥装置本体１を最も上昇させた様子を、図２は、乾燥装置本体１を最も下降させた様子を、それぞれ示している。また、図３および図４は、かかる手指乾燥器の構成の概要を、横断面の状態として示している。また、図５は、乾燥装置本体１をリフター装置２の支持体２１に支持させるための構造部分を理解しやすいように、この構造部分を構成する吊り下げ用軸２１ｃと、吊り下げ用軸受け具１４とを、分離した状態で示している。
【００１５】
この実施の形態にかかる手指乾燥器は、手指の洗浄後、この洗浄した手指の乾燥と消毒とをなす乾燥装置本体１を上下動可能に、洗面所や手洗い所などにある壁面に対して支持するようにしたものである。
【００１６】
かかる手指乾燥器は、乾燥装置本体１と、この乾燥装置本体１のリフター装置２とを備えて構成されている。
【００１７】
乾燥装置本体１は、
（１）手指の差し入れられる乾燥空間１０と、
（２）この乾燥空間１０への手指の差し入れを契機としてこの乾燥空間１０に対し温風を送り込ませる温風送風手段１１と、
（３）この乾燥空間１０に差し入れられた手指に紫外線を照射する紫外線照射手段１２とを備えている。
【００１８】
一方、リフター装置２は、
（１）背面に壁面Ｈに対する取付部２０ａを備えたリフターベース２０と、
（２）このリフターベース２０の前面側においてこのリフターベース２０に昇降可能に支持される乾燥装置本体１の支持体２１とを備えている。
【００１９】
図示の例では、かかる乾燥装置本体１は、前面下部を開放させた箱状をなすように構成されている。そして、この開放された前面下部から手指を内部に差し入れることができるように構成されている。そして、このように手指が差し入れられる下部空間が、前記乾燥空間１０となるように構成されている。
【００２０】
乾燥装置本体１は、仕切板１３によって、その内部空間を上下におおむね二分されている。そして、この仕切板１３の下方の空間が前記乾燥空間１０となっている。
【００２１】
この仕切板１３には、複数のスロット１３ａ、１３ａ…が形成されている。そして、乾燥空間１０への手指の差し入れを契機として、このスロット１３ａを通じて、前記仕切板１３の上方の空間より前記乾燥空間１０に、前記温風送風手段１１により温風が送り込まれるようになっている。また、このスロット１３ａを通じて、前記紫外線照射手段１２により紫外線が照射されるようになっている。紫外線を常時照射させるようにしておけば、乾燥空間１０を常時衛生的な状態に保つことが可能となる。乾燥空間１０に手指を差し入れたことを契機として、差し入れられた手指に遠赤外線を併せて照射させることができるようにしておけば、手荒れを防止すると共に、手指の血行を促進させることができる。
【００２２】
図示の例では、温風送風手段１１は、吸気側にヒータ１１ｂを備えると共に、このヒータ１１ｂにより加熱されたエアを下方に排気させるように形成されたフード１１ｃにより覆われたファン１１ｄを備えたファンユニット１１ａによって構成されている。図中符号１１ｅで示されるのは、かかるファンユニット１１ａのファン１１ｄを回転駆動させるモータである。このヒータ１１ｂをセラミックヒータとしておけば、乾燥空間１０に差し入れられた手指に温風と併せて遠赤外線を照射させることができる。
【００２３】
また、図示の例では、紫外線照射手段１２は、乾燥空間１０の入り口とファンユニット１１ａの排気口との間に配された、殺菌灯１２ａによって構成されている。
【００２４】
そして、図示の例では、前記乾燥空間１０への手指の差し入れの有無をセンサ（図示は省略する。）によって検知して、この検知信号に基づいて前記ファンユニット１１ａの運転を開始させるようにしている。
【００２５】
一方、リフターベース２０は、上下方向に沿った前面と二つの側面、天面及び底面を備えると共に、背面側を壁面Ｈに接しさせるようにして壁面Ｈに備え付けられ、この備え付け状態において、上下方向に長い箱状を呈するように構成されている。
【００２６】
図示の例では、リフターベース２０の背面の四隅に、ネジ２０ｂの入れ込み穴が形成されており、この入れ込み穴に前面側から入れ込ませたネジ２０ｂを壁面Ｈにネジ付けることにより、リフターベース２０を壁面Ｈに備え付けさせるようにしてある。
【００２７】
支持体２１は、このように壁面Ｈに備え付けられるリフターベース２０の前面側においてこのリフターベース２０に昇降可能に支持されている。
【００２８】
図示の例では、支持体２１は、鉛直板体２１ａと、この鉛直板体２１ａの下端から前方に向けて水平方向に突き出すように、この鉛直板体２１ａに一体に接合された底板体２１ｂとを備えている。
【００２９】
そして、図示の例にあっては、主として支持体２１の鉛直板体２１ａによって、乾燥装置本体１が支持されるようになっている。
【００３０】
具体的には、図示の例にあっては、リフター装置２の支持体２１の前面、つまり、前記鉛直板体２１ａの前面に頭部２１ｄを備えた吊り下げ用軸２１ｃを突設させていると共に、乾燥装置本体１の背面に、溝一端、図示の例では溝下端１４ｂを下方に開放させて上方に延びる割溝１４ａを備えた吊り下げ用軸受け具１４を形成させている。
【００３１】
そして、この吊り下げ用軸受け具１４の割溝１４ａの溝幅が、吊り下げ用軸２１ｃの軸部の径とほぼ同じかやや大きく、かつ、吊り下げ用軸２１ｃの頭部２１ｄの径よりも小さくなるようにしてある。
【００３２】
図示の例にあっては、吊り下げ用軸受け具１４は、乾燥装置本体１の背面に溶着されたプレート上部１４ｃと、前記割溝１４ａを備えたプレート下部１４ｄとを有し、このプレート上部１４ｃとプレート下部１４ｄとの間に段差状連接部１４ｅを備えたプレート状をなすように構成されている。この段差状連接部１４ｅの段差分、プレート下部１４ｄの前面と乾燥装置本体１の背面との間に隙間が形成されるようになっている。
【００３３】
これにより、図示の例にあっては、前記吊り下げ用軸受け具１４の割溝１４ａに対し、この割溝１４ａの開放された溝下端１４ｂから吊り下げ用軸２１ｃを入れ込ませるように、上方から支持体２１の前方に乾燥装置本体１をセットすることにより、支持体２１にワンタッチで乾燥装置本体１を組み付けさせることができる。（図１）すなわち、このよう乾燥装置本体１をセットすることにより、吊り下げ用軸受け具１４の割溝１４ａの溝上端を吊り下げ用軸２１ｃに上方から引っ掛け、かつ、吊り下げ用軸２１ｃの頭部２１ｄを吊り下げ用軸受け具１４の前面側に引っかけさせて、支持体２１に対し乾燥装置本体１を安定的に支持させることができる。また、この支持状態は、前記割溝１４ａから吊り下げ用軸２１ｃを抜き出させるように、乾燥装置本体１を上方に持ち上げることにより、簡単に解除することができる。
【００３４】
図示の例にあっては、吊り下げ用軸２１ｃは、支持体２１の鉛直板体２１ａの左右二カ所に形成されており、これに対応して、吊り下げ用軸受け具１４の割溝１４ａは、乾燥装置本体１の背面の左右二カ所に形成されている。
【００３５】
なお、図示の例とは別に、リフター装置２の支持体２１の前面に吊り下げ用軸受け具を設けると共に、乾燥装置本体１の背面に頭部を備えた吊り下げ用軸を突設させるようにしておくこともできる。このようにした場合、かかる吊り下げ用軸受け具の割溝は溝上端を開放させて、この開放された溝上端から吊り下げ用軸を受け入れるように構成される。
【００３６】
この実施の形態にかかる手指乾燥器は、以上の構成を備えていることから、必要に応じて乾燥装置本体１の床面からのレベルを調整することができる。すなわち、この乾燥装置本体１を支持する支持体２１を昇降させることにより、リフターベース２０に対する支持体２１の支持位置を変えることができ、これにより、乾燥装置本体１の床面からのレベル、より具体的には、乾燥装置本体１の乾燥空間１０に対する手指の差し入れ位置を調整することができる。この結果、大人の健常者は乾燥装置本体１を高い位置に位置づけた状態で乾燥装置本体１に都合良く手指を差し入れることができ、一方、子供や車椅子を使用している身体障害者などは乾燥装置本体１を低い位置に位置づけた状態で乾燥装置本体１に都合良く手指を差し入れることができる。
【００３７】
典型的には、大人の健常者は、床面からおおむね８４５ｍｍ〜８６５ｍｍの範囲に手指乾燥器の下部が位置されることが都合が良く、車椅子を使用している身体障害者などは床面からおおむね６１５ｍｍ〜６３５ｍｍの範囲に手指乾燥器の下部が位置されることが都合が良いことが認められることから、手指乾燥器を構成するリフターベース２０は、前記両者の範囲の少なくとも双方の範囲に乾燥装置本体１の下部を位置づけさせることが可能なように壁面Ｈに備え付けられる。この場合、乾燥装置本体１は最大２５０ｍｍの範囲で上下動されることとなる。
【００３８】
また、図示の例では、リフター装置２の支持体２１が、リフターベース２０内において上下方向に回転軸線を沿わせるように配された送りネジ２０ｅに噛み合うナット体２０ｆに組み付けられて送りネジ２０ｅの回転によって昇降される昇降体２２を介してリフターベース２０に支持されている。
【００３９】
すなわち、図示の例にあっては、リフターベース２０は、
（１）リフターベース２０内の下部に配されるモータ２０ｃと、
（２）上下方向に回転軸線を沿わせるようにリフターベース２０内に配される送りネジ２０ｅと、
（３）リフターベース２０内を上下動できるようにリフターベース２０内に納められた昇降体２２と、
（４）昇降体２２の下部にナット上端面を一体に止め付けられると共に、前記送りネジ２０ｅに噛み合わされて、この送りネジ２０ｅにこの送りネジ２０ｅの正逆いずれか一方の回転に伴ってこの送りネジ２０ｅの上端側に向けて螺進され、かつ、この送りネジ２０ｅの正逆いずれか他方の回転に伴ってこの送りネジ２０ｅの下端側に向けて螺進されるナット体２０ｆと、を備えている。
【００４０】
送りネジ２０ｅはその下端をカップリング２０ｇを介してモータ２０ｃの駆動軸２０ｄに一体に組み付けさせており、これによりモータ２０ｃ側によって起立状態に支持されると共に、モータ２０ｃの駆動により正逆双方に選択的に回転されるようになっている。
【００４１】
また、昇降体２２は、図示の例では、側面視の状態において、方形の枠状をなす枠状体として構成されており、ナット体２０ｆのナット上端から上方に突き出される送りネジ２０ｅを内方に通して枠上部に形成させた通し穴２２ａから上方に抜け出し可能とするように構成されている。
【００４２】
そして、かかる昇降体２２の枠前面部と支持体２１の一部、すなわち、鉛直板体２１ａとを、リフターベース２０の前面において上下方向に沿って形成された通し溝２０ｈを通じて、一端を昇降体２２側に止め付け、かつ、他端を鉛直板体２１ａに止め付けた連結シャフト２３によって接合させ合わさせるようにしてある。図示の例では、この連結シャフト２３は、リフターベース２０の左右にそれぞれ上下二カ所づつ設けられており、これに対応して前記通し溝２０ｈもリフターベース２０の前面の左右にそれぞれ形成されている。
【００４３】
また、リフターベース２０の内部には、送りネジ２０ｅと壁面Ｈとの間において、鉛直方向に延びるガイド棒２４が設けられており、昇降体２２はこの昇降体２２に形成された穴２２ｂにこのガイド棒２４を通させた状態で、このガイド棒によって壁面Ｈ側に位置される箇所を支持されて昇降されるようになっている。
【００４４】
これにより、図示の例にあっては、前記送りネジ２０ｅの回転によって昇降体２２をスムースに昇降させることができ、このように移動される昇降体２２を介してリフターベース２０に支持されている支持体２１により、この支持体２１に支持されている乾燥装置本体１を昇降させることができる。
【００４５】
具体的には、前記モータ２０ｃの駆動回路を構成するスイッチ（図示は省略する。）を操作することにより、モータ２０ｃの正転、逆転を切り替えることができるようにしておく。そして、例えば、モータ２０ｃが正転されれば、昇降体２２が上昇して乾燥装置本体１が上方に移動され、モータ２０ｃが逆転されれば、昇降体２２が下降して乾燥装置本体１が下方に移動されるようにしておく。かかるスイッチは、車椅子使用者などが操作できる高さ位置、典型的には、リフターベース２０の下部外面に設けるようにすることが望ましい。
【００４６】
なお、図示の例では、昇降体２２における枠上部であって、リフターベース２０の前面と送りネジ２０ｅの配置位置との間に、上方に突き出すリミットスイッチ作動用突出体２２ｃが設けられていると共に、昇降体２２における枠下部であって、リフターベース２０の前面と送りネジ２０ｅの配置位置との間に、下方に突き出すリミットスイッチ作動用突出体２２ｃが設けられている。それと共に、リフターベース２０内の上部と下部とにそれぞれ、昇降体２２の移動により前記リミットスイッチ作動用突出体２２ｃに押圧されて付勢に抗して押し込まれるスイッチ片２５ａを備えたリミットスイッチ２５が設けられており、リフターベース２０内の上部に設けられたリミットスイッチ２５のスイッチ片２５ａが押し込まれることを契機としてモータ２０ｃの駆動を停止させて昇降体２２の上昇を停止させると共に、リフターベース２０内の下部に設けられたリミットスイッチ２５のスイッチ片２５ａが押し込まれることを契機としてモータ２０ｃの駆動を停止させて昇降体２２の下降を停止させるようにしてある。
【００４７】
【発明の効果】
この発明にかかる手指乾燥装置によれば、温風を吹き出す乾燥装置本体の床面からのレベルを、必要に応じて、可変することができ、大人の健常者も車椅子使用者なども、支障なく手洗い後の手指の乾燥をなすことができる。
【図面の簡単な説明】
【図１】手指乾燥器の縦断面構成図
【図２】手指乾燥器の縦断面構成図
【図３】図１におけるＡ−Ａ線断面構成図
【図４】図１におけるＢ−Ｂ線断面構成図
【図５】手指乾燥器の要部分離斜視図
【符号の説明】
１　乾燥装置本体
１１　温風送風手段
２　リフター装置
２０　リフターベース
２０ａ　取付部
２１　支持体
Ｈ　壁面
【図１】
2004141557.tif 000003
【図２】
2004141557.tif 000004
【図３】
2004141557.tif 000005
【図４】
2004141557.tif 000006
【図５】
2004141557.tif 000007